(57)【特許請求の範囲】
【請求項１】
現像剤を収容する容器内で回転部に支持され前記現像剤を撹拌する現像剤撹拌部材であって、
前記回転部によって支持される第１被支持部および回動する自由端を成す末端部を有するフィルム材である基部と、
前記基部における前記第１被支持部寄りの一部の領域にのみ重なるフィルム材である補強部と、を備え、
前記補強部と前記基部との各々が、１枚のフィルム材である原部材における折り返された一部分と残りの部分とであり、
前記基部における前記末端部および前記第１被支持部が、それぞれ前記原部材における第１縁部およびその反対側の第２縁部であり、
前記補強部が、前記原部材における前記第１縁部側から切り起こされて前記第２縁部側へ折り返された部分である、現像剤撹拌部材。
【請求項２】
前記補強部は、前記第１被支持部に重なり前記回転部によって支持される第２被支持部を含み、前記基部における回転方向の反対側の面に重なる、請求項１に記載の現像剤撹拌部材。
【請求項３】
前記補強部が、前記基部の前記第１被支持部側の部分において前記基部の前記末端部側の部分よりも前記第１被支持部の長手方向における幅が大きく形成されている、請求項１または請求項２に記載の現像剤撹拌部材。
【請求項４】
前記第１被支持部の長手方向に沿って並ぶ複数の前記補強部を備える、請求項１から請求項３のいずれか１項に記載の現像剤撹拌部材。
【請求項５】
像担持体に形成された静電潜像を現像剤によって現像する現像部と、
補給用の前記現像剤を収容する容器と、
前記容器内に回転可能に支持された回転部と、
前記回転部によって支持された請求項１から請求項４のいずれか１項に記載の現像剤撹拌部材と、
前記容器から前記現像部へ前記現像剤を送り出す現像剤送出部と、を備える画像形成装置。
【発明の詳細な説明】
【技術分野】
【０００１】
本発明は、現像剤撹拌部材および画像形成装置に関する。
【背景技術】
【０００２】
電子写真方式の画像形成装置は、像担持体、帯電部、現像部および転写部などを含む画像形成部を備える。さらに、前記画像形成装置は、前記現像部に現像剤を補給する現像剤補給部を備える。
【０００３】
前記現像剤補給部は、前記現像剤を収容する容器、その容器内に設けられた現像剤撹拌部材および現像剤送出部などを含む。前記現像剤撹拌部材は、前記容器内で前記現像剤を撹拌する。前記現像剤送出部は、前記容器から前記現像部へ前記現像剤を送り出す。
【０００４】
例えば、前記現像剤撹拌部材が、前記容器内で回転部に支持され、回転することによって前記現像剤を撹拌するフィルム材である場合がある。この場合、前記現像剤撹拌部材は、回転しつつその弾性力によって下方から前記現像剤送出部へ前記現像剤を跳ね上げる。また、回転可能な２枚のシート体が前記容器内に設けられることが知られている（例えば、特許文献１参照）。
【先行技術文献】
【特許文献】
【０００５】
【特許文献１】２０１３−２４６２６８号公報
【発明の概要】
【発明が解決しようとする課題】
【０００６】
ところで、前記容器内における前記現像剤の量が多い場合に、前記現像剤の重みに対してフィルム状の前記現像剤撹拌部材の弾性力が不足するおそれがある。この場合、前記現像剤撹拌部材による前記現像剤の撹拌および跳ね上げが不十分となる。
【０００７】
また、厚みの大きな前記フィルム材が前記現像剤撹拌部材として採用される場合、前記容器内における前記現像剤の量が少ないときに前記現像剤撹拌部材が十分に撓まない。この場合も、前記現像剤撹拌部材の弾性力が不足し、前記現像剤の跳ね上げが不十分となる。なお、同じ大きさの２枚の前記フィルム材が前記現像剤撹拌部材として採用される場合も同様である。
【０００８】
本発明の目的は、容器における現像剤の収容量に関わらず前記容器内において前記現像剤を撹拌しつつ適度な弾性力によって現像剤送出部へ跳ね上げることが可能な現像剤撹拌部材およびそれを備える画像形成装置を提供することにある。
【課題を解決するための手段】
【０００９】
本発明の一の局面に係る現像剤撹拌部材は、現像剤を収容する容器内で回転部に支持され前記現像剤を撹拌する部材である。前記現像剤撹拌部材は、基部および補強部を備える。前記基部は、前記回転部によって支持される第１被支持部および回動する自由端を成す末端部を有するフィルム材である。前記補強部は、前記基部における前記第１被支持部寄りの一部の領域にのみ重なるフィルム材である。
【００１０】
本発明の他の局面に係る画像形成装置は、現像部と、容器と、回転部と、本発明の一の局面に係る前記現像剤撹拌部材と、現像剤送出部とを備える。前記現像部は、像担持体に形成された静電潜像を現像剤によって現像する。前記容器は、補給用の前記現像剤を収容する。前記回転部は、前記容器内に回転可能に支持された部分である。前記現像剤撹拌部材は、前記回転部によって支持され部材である。前記現像剤送出部は、前記容器から前記現像部へ前記現像剤を送り出す部分である。
【発明の効果】
【００１１】
本発明によれば、容器における現像剤の収容量に関わらず前記容器内において前記現像剤を撹拌しつつ適度な弾性力によって現像剤送出部へ跳ね上げることが可能な現像剤撹拌部材およびそれを備える画像形成装置を提供することが可能になる。
【図面の簡単な説明】
【００１２】
【図１】図１は、実施形態に係る画像形成装置の構成図である。
【図２】図２は、実施形態に係る画像形成装置が備える後段現像剤補給部および現像部の構成図である。
【図３】図３は、現像剤中間補給の内部の斜視図である。
【図４】図４は、第１実施形態に係る現像剤撹拌部材の平面図である。
【図５】図５は、第１実施形態に係る現像剤撹拌部材の原部材の平面図である。
【図６】図６は、現像剤撹拌部材の支持構造の断面図である。
【図７】図７は、第２実施形態に係る現像剤撹拌部材の平面図である。
【図８】図８は、第２実施形態に係る現像剤撹拌部材の原部材の平面図である。
【図９】図９は、第３実施形態に係る現像剤撹拌部材の斜視図である。
【発明を実施するための形態】
【００１３】
以下、添付図面を参照しながら、本発明の実施形態について説明する。なお、以下の実施形態は、本発明を具体化した一例であって、本発明の技術的範囲を限定する性格を有さない。
【００１４】
［画像形成装置１０の構成］
まず、図１〜３を参照しつつ、実施形態に係る画像形成装置１０の構成について説明する。画像形成装置１０は、電子写真方式の画像形成装置である。
【００１５】
図１が示すように、前記画像形成装置１０は、筐体１００内にシート供給部２、シート搬送部３、画像形成部４、光走査部５、定着部６および現像剤補給部４０などを備える。
【００１６】
なお、画像形成装置１０が、プリンター、コピー機およびファクシミリなどの機能のうちの複数の機能を備える複合機であることも考えられる。
【００１７】
シート供給部２は、シート受部２１およびシート送出部２２を備えている。シート受部２１は、複数の記録シート９を重ねて載置可能に構成されている。記録シート９は、紙、コート紙、ハガキ、封筒、およびＯＨＰシートなどのシート状の画像形成媒体である。
【００１８】
シート送出部２２は、記録シート９に接して回転することにより記録シート９をシート受部２１から搬送路３０へ向けて送り出す。
【００１９】
シート搬送部３は、シート供給部２から供給される記録シート９を搬送ローラー３１によって画像形成部４へ向けて搬送する。搬送ローラー３１は、さらに画像形成後の記録シート９を搬送路３０の排出口から排出トレイ１０１上へ排出する。
【００２０】
電子写真方式の画像形成部４は、シート送出部２２から供給されて搬送路３０を移動中の記録シート９の表面に現像剤９０の像を形成する。現像剤９０はトナーを含む。
【００２１】
画像形成部４は、ドラム状の感光体４１、帯電部４２、現像部４３、転写部４５、除電部４６およびクリーニング部４７などを備える。なお、感光体４１は像担持体の一例である。
【００２２】
感光体４１が回転し、帯電部４２が感光体４１の表面を一様に帯電させる。さらに、光走査部５がレーザー光を走査することにより帯電した感光体４１の表面に静電潜像を書き込む。
【００２３】
また、現像部４３は、感光体４１に現像剤９０を供給することにより、感光体４１に形成された前記静電潜像を現像剤９０によって現像する。さらに、転写部４５が、感光体４１表面の画像（現像剤９０の像）を、搬送路３０を移動中の記録シート９に転写する。
【００２４】
図２が示すように、現像部４３は、現像槽４３０、現像ローラー４３１および循環搬送部４３２などを含む。現像槽４３０は、現像剤補給部４０から供給される現像剤９０を一時的に溜める容器である。
【００２５】
現像部４３において、循環搬送部４３２が現像槽４３０内の現像剤９０を循環搬送し、現像ローラー４３１が現像槽４３０内の現像剤９０を担持して感光体４１へ供給する。
【００２６】
また、除電部４６が画像転写後の感光体４１の表面を除電し、さらに、クリーニング部４７が感光体４１表面に残存する現像剤９０を除去する。
【００２７】
定着部６は、ハロゲンヒーターなどのヒーター６１０を内包する定着ローラー６１と加圧ローラー６２との間に画像が形成された記録シート９を挟み込み、後工程へ送り出す。これにより、定着部６は、記録シート９上の現像剤９０の像を加熱し、記録シート９上に画像を定着させる。
【００２８】
現像剤補給部４０は、前段現像剤補給部１１および後段現像剤補給部１２を含む。前段現像剤補給部１１は、画像形成装置１０の筐体１００（本体）に対して取り外し可能に装着されている。後段現像剤補給部１２は中間ホッパーなどと称される。
【００２９】
前段現像剤補給部１１は、前段容器１１０および前段送出部１１１を含む。前段容器１１０は、現像剤９０を収容する容器である。前段送出部１１１は、回転することにより現像剤９０を前段容器１１０内から後段現像剤補給部１２へ送り出す。
【００３０】
後段現像剤補給部１２は、前段現像剤補給部１１から供給される現像剤９０を撹拌しつつ現像部４３の現像槽４３０へ送り出す。図２，３が示すように、後段現像剤補給部１２は、後段容器１２０、撹拌機構１２１および後段送出部１２２などを備える。
【００３１】
後段容器１２０は、前段現像剤補給部１１から供給される現像剤９０を収容する容器である。後段送出部１２２は、後段容器１２０内の現像剤９０を現像部４３の現像槽４３０へ送り出す。後段送出部１２２は、例えばスクリューコンベアなどである。
【００３２】
後段容器１２０には、それぞれ開口を成す投入口１２０１および送出口１２０２が形成されている。送出口１２０２は、後段容器１２０における後段送出部１２２の下方に形成されている。送出口１２０２は、現像槽４３０に連通している。
【００３３】
撹拌機構１２１は、回転部７０および現像剤撹拌部材７を備える。回転部７０は、後段容器内に回転可能に支持された部材である。後段送出部１２２および回転部７０は、モーターおよびギア機構などを含む不図示の駆動機構によって回転駆動される。
【００３４】
現像剤撹拌部材７は、現像剤９０を収容する後段容器１２０内で回転部７０に支持される部材である。回転部７０が回転することにより、現像剤撹拌部材７が回転部７０を中心として回転する。以下の説明において、回転部７０の回転方向、即ち、現像剤撹拌部材７の回転方向のことを順回転方向Ｒｔと称する。
【００３５】
現像剤撹拌部材７は、例えばＰＥＴ（ポリエチレンテレフタラート）などの合成樹脂がフィルム状に成型された部材である。そのため、現像剤撹拌部材７は可撓性を有する。なお、現像剤撹拌部材７が、塩化ビニルまたはポリカーボネートなどの他の合成樹脂がフィルム状に成型された部材であることも考えられる。
【００３６】
現像剤撹拌部材７は、回転することによって後段容器１２０内の現像剤９０を撹拌する。さらに、現像剤撹拌部材７は、回転しつつその弾性力によって下方から後段送出部１２２へ現像剤９０を跳ね上げる役割も果たす。
【００３７】
ところで、後段容器１２０内における現像剤９０の量が多い場合に、現像剤９０の重みに対してフィルム状の現像剤撹拌部材の弾性力が不足するおそれがある。この場合、前記現像剤撹拌部材による現像剤９０の撹拌および跳ね上げが不十分となる。
【００３８】
また、厚みの大きな前記フィルム材が前記現像剤撹拌部材として採用される場合、後段容器１２０内における現像剤９０の量が少ないときに前記現像剤撹拌部材が十分に撓まない。この場合も、前記現像剤撹拌部材の弾性力が不足し、現像剤９０の跳ね上げが不十分となる。なお、同じ大きさの２枚の前記フィルム材が前記現像剤撹拌部材として採用される場合も同様である。
【００３９】
一方、本実施形態における現像剤撹拌部材７は、後述する構造を備えることにより、後段容器１２０における現像剤９０の収容量の変動に対する適応性が高い。即ち、現像剤撹拌部材７は、後段容器１２０における現像剤９０の収容量に関わらず後段容器１２０内において現像剤９０を撹拌しつつ適度な弾性力によって後段送出部１２２へ跳ね上げることが可能である。
【００４０】
［第１実施形態］
以下、図４，５を参照しつつ、第１実施形態に係る現像剤撹拌部材７について説明する。現像剤撹拌部材７は、基部７１および補強部７２を備える。
【００４１】
基部７１は、第１被支持部７１２および末端部７１１を有するフィルム材である。第１被支持部７１２は、回転部７０によって支持される部分である。末端部７１１は、現像剤撹拌部材７が回転することによって回動する自由端の部分である。
【００４２】
以下の説明において、第１被支持部７１２の長手方向のことを第１方向Ｄ１と称する。第１方向Ｄ１は、現像剤撹拌部材７の回転の中心線に沿う方向であり、回転部７０の長手方向でもある。また、第１被支持部７１２と末端部７１１とが対向する方向のことを第２方向Ｄ２と称する。さらに、基部７１における順回転方向Ｒｔの反対側の面のことを背面７１ａと称する。
【００４３】
本実施形態において、基部７１には、末端部７１１から第１被支持部７１２側へ向かう複数の切れ込み７１３が形成されている。図４が示す例では、切れ込み７１３各々は第２方向Ｄ２に対して斜めに形成されている。
【００４４】
さらに、図４が示す例において、基部７１には、複数の孔７１４が形成されている。複数の孔７１４は、第１方向Ｄ１において並んで形成されている。複数の孔７１４各々は、基部７１における複数の切れ込み７１３の間の領域に形成されている。
【００４５】
孔７１４は、第１方向Ｄ１における異なる位置各々において基部７１が現像剤９０から受ける圧力を軽減するために形成されている。また、切れ込み７１３は、基部７１における第１方向Ｄ１における異なる部位各々が現像剤９０から受ける圧力によって適度に撓むことを目的として形成されている。
【００４６】
補強部７２は、基部７１における第１被支持部７１２寄りの一部の領域にのみ重なるフィルム材である。本実施形態において、補強部７２は、基部７１の背面７１ａに重なっている。
【００４７】
補強部７２は、基部７１の第１被支持部７１２に重なる第２被支持部７２１を含む。従って、補強部７２は、基部７１の背面７１ａにおける第１被支持部７１２からの一部の領域にのみ重なる。第２被支持部７２１は、基部７１の第１被支持部７１２とともに回転部７０によって支持される部分である。
【００４８】
図４が示す例において、現像剤撹拌部材７は、第１方向Ｄ１に沿って並ぶ複数の補強部７２を備える。
【００４９】
補強部７２各々は、基部７１の第１被支持部７１２側の部分において基部７１の末端部７１１側の部分よりも第１方向Ｄ１における幅が大きく形成されている。即ち、補強部７２各々において、基部７１における第１被支持部７１２側の部分の第１幅Ｗ１が、末端部７１１側の部分の第２幅Ｗ２よりも大きい。
【００５０】
現像剤撹拌部材７は、図５が示す原部材７００の一部が折り返されることによって得られる。原部材７００は、１枚のフィルム材である。即ち、１枚のフィルム材である原部材７００における折り返された一部分が補強部７２であり、原部材７００の残りの部分が基部７１である。
【００５１】
図４，５が示す例において、基部７１は、原部材７００における第１縁部７０１から第１縁部７０１とその反対の第２縁部７０２との間の折り目７３までの部分である。なお、第１縁部７０１および第２縁部７０２は、原部材７００におけるその長手方向に直交する方向の一端および他端を成す縁部である。
【００５２】
一方、補強部７２は、原部材７００における折り目７３から第２縁部７０２までの部分である。従って、基部７１における第１被支持部７１２は原部材７００における折り目７３の部分である。また、基部７１における末端部７１１は、原部材７００における第１縁部７０１である。
【００５３】
換言すれば、補強部７２は、原部材７００における第２縁部７０２からの一部分が第１縁部７０１側へ折り返されることによって形成されている。
【００５４】
基部７１の第１被支持部７１２および補強部７２の第２被支持部７２１の各々には、相互に重なる取付孔７１５，７２２が形成されている。
【００５５】
図５は、現像剤撹拌部材７の支持構造の断面図である。回転部７０には、重なった第１被支持部７１２および第２被支持部７２１が挿入される隙間７０３が形成されている。さらに、回転部７０における隙間７０３内には、突起部７０４が形成されている。
【００５６】
回転部７０は、重なった第１被支持部７１２および第２被支持部７２１が挿入される際に隙間７０３が広がる方向へ弾性変形する。さらに、第１被支持部７１２および第２被支持部７２１が隙間７０３に挿入された状態で、回転部７０の突起部７０４が取付孔７１５，７２２を貫通する。これにより、現像剤撹拌部材７の第１被支持部７１２および第２被支持部７２１が回転部７０に保持される。
【００５７】
なお、図５において、原部材７００に取付孔７１５，７２２が形成されている。しかしながら、原部材７００の一部が折り返されることによって重なった第１被支持部７１２および第２被支持部７２１に、それらを貫通する取付孔７１５，７２２が形成されることも考えられる。
【００５８】
現像剤撹拌部材７において、補強部７２は、基部７１における第１被支持部７１２寄りの一部の領域にのみ重なる。この場合、基部７１における末端部７１１からの一部の領域は、補強部７２が重なる領域よりも撓みやすい。そのため、後段容器１２０内における現像剤９０の量が少ない場合においても、現像剤撹拌部材７の末端部７１１寄りの部分が十分に撓む。現像剤撹拌部材７の撓みにより、現像剤９０の跳ね上げに必要な弾性力が得られる。
【００５９】
また、後段容器１２０内における現像剤９０の量が多い場合、補強部７２は、現像剤９０の重みによって現像剤撹拌部材７が変形し過ぎることを防ぐ。さらに、基部７１における補強部７２が重なる部分および補強部７２が、現像剤９０の重みによって適度に撓む。その結果、現像剤９０の跳ね上げに必要な弾性力が得られる。
【００６０】
従って、現像剤撹拌部材７は、後段容器１２０における現像剤９０の収容量の変動に対する適応性が高い。
【００６１】
また、本実実施形態における補強部７２は、回転部７０によって支持される第２被支持部７２１を含み、基部７１の背面７１ａに重なる。そのため、補強部７２が基部７１に接着されなくても、順回転方向Ｒｔに回転する基部７１を補強する効果が得られる。
【００６２】
補強部７２を基部７１に接着する必要がないため、現像剤撹拌部材７を容易に製造することができる。なお、補強部７２が基部７１における順回転方向Ｒｔの面に接着されることも考えられなくはない。
【００６３】
また、本実施形態において、補強部７２と基部７１との各々が、１枚のフィルム材である原部材７００における折り返された一部分と残りの部分とである。この場合、部品点数を増やすことなく現像剤撹拌部材７を実現することができる。
【００６４】
また、補強部７２が、原部材７００における折り目７３から第２縁部７０２までの部分であり、基部７１における第１被支持部７１２および末端部７１１が、それぞれ原部材７００における折り目７３の部分および第１縁部７０１である。この場合、補強部７２の形状設計の自由度が高い。
【００６５】
後段容器１２０内において、現像剤９０の量が多いほど、基部７１における第１被支持部７１２寄りの部分により大きな応力が加わる。これに対し、本実施形態における補強部７２はが、基部７１の第１被支持部７１２側の部分において基部７１の末端部７１１側の部分よりも第１方向Ｄ１における幅が大きく形成されている。
【００６６】
従って、現像剤撹拌部材７は、基部７１および補強部７２が重なる領域においても、末端部７１１寄りの部分において相対的に撓みやすく、第１被支持部７１２寄りの部分において相対的に剛性が高い。これにより、後段容器１２０における現像剤９０の収容量の変動に対する適応性がより高まる。
【００６７】
［第２実施形態］
次に、図７，８を参照しつつ、第２実施形態に係る現像剤撹拌部材７Ａについて説明する。現像剤撹拌部材７Ａも、現像剤撹拌部材７と同様に画像形成装置１０の後段現像剤補給部１２に適用される。
【００６８】
現像剤撹拌部材７Ａは、現像剤撹拌部材７と比較して、補強部７２の折り返しの構造のみが異なる。
【００６９】
図７は、現像剤撹拌部材７Ａの平面図である。図８は、現像剤撹拌部材７Ａの原部材７００Ａの平面図である。図７，８において、図１〜６に示される構成要素と同じ構成要素は、同じ参照符号が付されている。以下、現像剤撹拌部材７Ａにおける現像剤撹拌部材７と異なる点について説明する。
【００７０】
現像剤撹拌部材７Ａにおいても、補強部７２と基部７１との各々が、１枚のフィルム材である原部材７００Ａにおける折り返された一部分と残りの部分とである。
【００７１】
本実施形態において、基部７１における末端部７１１および第１被支持部７１２は、それぞれ原部材７００Ａにおける第１縁部７０１およびその反対側の第２縁部７０２である。
【００７２】
現像剤撹拌部材７Ａの補強部７２は、原部材７００Ａにおける第１縁部７０１側から切り起こされて第２縁部７０２側へ折り返された部分である。即ち、原部材７００Ａには、基部７１となる部分と補強部７２となる部分とを区切る一連の切れ目７１６が形成されている。切れ目７１６は、折り目７３となる部分の一端から他端までに亘って補強部７２となる部分を取り囲んで形成されている。
【００７３】
現像剤撹拌部材７Ａにおいても、折り目７３で折り返された補強部７２の一部は、基部７１の第１被支持部７１２に重なる第２被支持部７２１である。さらに、現像剤撹拌部材７Ａの補強部７２各々においても、基部７１における第１被支持部７１２側の部分の第１幅Ｗ１が、末端部７１１側の部分の第２幅Ｗ２よりも大きい。
【００７４】
現像剤撹拌部材７Ａが採用される場合も、現像剤撹拌部材７が採用される場合と同様の効果が得られる。さらに、現像剤撹拌部材７Ａにおいて、基部７１の孔７１４は、補強部７２の切り起こしの跡に形成される孔である。そのため、原部材７００Ａを無駄なく現像剤撹拌部材７Ａに加工することができ、材料の利用効率が高まる。
【００７５】
［第３実施形態］
次に、図９を参照しつつ、第３実施形態に係る現像剤撹拌部材７Ｂについて説明する。現像剤撹拌部材７Ｂも、現像剤撹拌部材７，７Ａと同様に画像形成装置１０の後段現像剤補給部１２に適用される。
【００７６】
現像剤撹拌部材７Ｂは、現像剤撹拌部材７と比較して、補強部７２の折り返しの構造のみが異なる。
【００７７】
図９は、現像剤撹拌部材７Ｂの平面図である。図９において、図１〜８に示される構成要素と同じ構成要素は、同じ参照符号が付されている。以下、現像剤撹拌部材７Ｂにおける現像剤撹拌部材７と異なる点について説明する。
【００７８】
現像剤撹拌部材７Ｂにおいても、補強部７２と基部７１との各々が、１枚のフィルム材である原部材７００Ｂにおける折り返された一部分と残りの部分とである。なお、図９において、原部材７００Ｂは仮想線（２点鎖線）で描かれている。
【００７９】
現像剤撹拌部材７Ｂも、現像剤撹拌部材７と同様に、基部７１が、原部材７００Ｂにおける第１縁部７０１から折り目７３までの部分であり、補強部７２が、原部材７００Ｂにおける折り目７３から第２縁部７０２までの部分である。
【００８０】
但し、現像剤撹拌部材７Ｂは、第１方向Ｄ１において延びて形成された１つの補強部７２を備える。また、現像剤撹拌部材７Ｂの基部７１には、切れ込み７１３および孔７１４が形成されていない。これら点が現像剤撹拌部材７と異なる点である。
【００８１】
現像剤撹拌部材７Ｂが採用される場合も、現像剤撹拌部材７が採用される場合と同様の効果が得られる。
【００８２】
[応用例]
以上に示された現像剤撹拌部材７，７Ａ，７Ｂにおいて、基部７１および補強部７２が、個別のシート材であることも考えられる。また、現像剤撹拌部材７Ｂにおいて、切れ込み７１３および孔７１４の一方または両方が形成された基部７１が採用されることも考えられる。
【００８３】
なお、本発明に係る現像剤撹拌部材および画像形成装置は、各請求項に記載された発明の範囲において、以上に示された実施形態及び応用例を自由に組み合わせること、或いは実施形態及び応用例を適宜、変形する又は一部を省略することによって構成されることも可能である。
【符号の説明】
【００８４】
２        ：シート供給部
３        ：シート搬送部
４        ：画像形成部
５        ：光走査部
６        ：定着部
７，７Ａ，７Ｂ：現像剤撹拌部材
９        ：記録シート
１０      ：画像形成装置
１１      ：前段現像剤補給部
１２      ：後段現像剤補給部
２１      ：シート受部
２２      ：シート送出部
３０      ：搬送路
３１      ：搬送ローラー
４０      ：現像剤補給部
４１      ：感光体（像担持体）
４２      ：帯電部
４３      ：現像部
４５      ：転写部
４６      ：除電部
４７      ：クリーニング部
６１      ：定着ローラー
６２      ：加圧ローラー
７０      ：回転部
７１      ：基部
７１ａ    ：背面（基部における回転方向の反対側の面）
７２      ：補強部
７３      ：折り目
９０      ：現像剤
１００    ：筐体
１０１    ：排出トレイ
１１０    ：前段容器
１１１    ：前段送出部
１２０    ：後段容器
１２１    ：撹拌機構
１２２    ：後段送出部
４３０    ：現像槽
４３１    ：現像ローラー
４３２    ：循環搬送部
６１０    ：ヒーター
７００，７００Ａ，７００Ｂ：原部材
７０１    ：原部材の第１縁部
７０２    ：原部材の第２縁部
７０３    ：回転部の隙間
７０４    ：回転部の突起部
７１１    ：末端部
７１２    ：第１被支持部
７１３    ：切れ込み
７１４    ：孔
７１５，７２２：取付孔
７１６    ：切れ目
７２１    ：第２被支持部
１２０１  ：投入口
１２０２  ：送出口
【図１】
0006277993.tif 000002
【図２】
0006277993.tif 000003
【図３】
0006277993.tif 000004
【図４】
0006277993.tif 000005
【図５】
0006277993.tif 000006
【図６】
0006277993.tif 000007
【図７】
0006277993.tif 000008
【図８】
0006277993.tif 000009
【図９】
0006277993.tif 000010